(57)【要約】      （修正有）【課題】製造が容易で且つ遮光性に優れたセンサモジュールを提供する。【解決手段】センサモジュールは、対象物に光を照射する光源部と、光源部から照射され、対象物で反射した反射光が入射する光学フィルタ２０と、光学フィルタ２０を透過した反射光を検出するセンサと、を備え、光学フィルタ２０は、シート面に沿ってストライプ状に交互に配列された光透過部２１１及び光吸収部２１２を有する光学シート２１が複数枚積層され、複数枚の光学シートのうち少なくとも２枚の光学シート２１、２２が、シート面の法線方向から見て光透過部２１１及び光吸収部２１２の配列方向が交差するように配置される。【選択図】図２
2020079842.tif 000002
【特許請求の範囲】
【請求項１】
対象物に光を照射する光源部と、
前記光源部から照射され、対象物で反射した反射光が入射する光学フィルタと、
前記光学フィルタを透過した反射光を検出するセンサと、を備え、
前記光学フィルタは、シート面に沿ってストライプ状に交互に配列された光透過部及び光吸収部を有する光学シートが複数枚積層され、複数枚の前記光学シートのうち少なくとも２枚が、シート面の法線方向から見て前記光透過部及び前記光吸収部の配列方向が交差するように配置されるセンサモジュール。
【請求項２】
請求項１に記載のセンサモジュールにおいて、
前記光学フィルタは、特定の波長領域の光のみを透過させる光制御部を備えるセンサモジュール。
【請求項３】
請求項２に記載のセンサモジュールにおいて、
前記光制御部は、前記光学フィルタの前記光透過部であるセンサモジュール。
【請求項４】
請求項１から請求項３までのいずれか一項に記載のセンサモジュールと、
表示パネルと、を備え、
前記センサモジュールの前記光源部として、前記表示パネルの照明部又は発光部が用いられる表示装置。
【請求項５】
シート面に沿ってストライプ状に交互に配列された光透過部及び光吸収部を有する光学シートが複数枚積層され、複数枚の前記光学シートのうち少なくとも２枚が、シート面の法線方向から見て前記光透過部及び前記光吸収部の配列方向が交差するように配置される光学フィルタ。
【発明の詳細な説明】
【技術分野】
【０００１】
本発明は、センサモジュール、表示装置及び光学フィルタに関する。
【背景技術】
【０００２】
従来、スマートフォンに代表される携帯端末には、液晶等の表示パネルが搭載されている。これらの携帯端末において、表示パネルに斜め方向から光が入り込むと、表示パネルのコントラストが低下して画面が見えにくくなる。そのため、斜め方向からの光の入り込みを抑制してコントラストを向上させる構成として、直交する複数の光吸収性領域と複数の透光性領域とを備えた光学フィルタが提案されている（例えば、特許文献１参照）。
【先行技術文献】
【特許文献】
【０００３】
【特許文献１】特開２００８−１５２０１７号公報
【発明の概要】
【発明が解決しようとする課題】
【０００４】
上記特許文献１の光学フィルタは、１枚の基材の上に複数の光吸収性領域と複数の透光性領域とを格子状に配置した構造であるため、製造が難しいという課題がある。
【０００５】
本発明の目的は、製造が容易で且つ遮光性に優れたセンサモジュール、表示装置及び光学フィルタを提供することにある。
【課題を解決するための手段】
【０００６】
本発明は、以下のような解決手段により、課題を解決する。なお、理解を容易にするために、本発明の実施形態に対応する符号を付して説明するが、これに限定されるものではない。
第１の発明は、対象物に光を照射する光源部（１０）と、前記光源部から照射され、対象物で反射した反射光が入射する光学フィルタ（２０）と、前記光学フィルタを透過した反射光を検出するセンサ（３０）と、を備え、前記光学フィルタは、シート面に沿ってストライプ状に交互に配列された光透過部及び光吸収部を有する光学シートが複数枚積層され、複数枚の前記光学シートのうち少なくとも２枚が、シート面の法線方向から見て前記光透過部及び前記光吸収部の配列方向が交差するように配置されるセンサモジュールに関する。
第２の発明は、第１の発明に係るセンサモジュールにおいて、前記光学フィルタが、特定の波長領域の光のみを透過させる光制御部を備える。
第３の発明は、第２の発明に係るセンサモジュールにおいて、前記光制御部は、前記光学フィルタの前記光透過部（２１１、２２１）である。
第４の発明は、第１から第３までのいずれかの発明に係るセンサモジュールと、表示パネル（１０）と、を備え、前記センサモジュールの前記光源部として、前記表示パネルの照明部又は発光部が用いられる表示装置に関する。
第５の発明は、シート面に沿ってストライプ状に交互に配列された光透過部及び光吸収部を有する光学シートが複数枚積層され、複数枚の前記光学シートのうち少なくとも２枚が、シート面の法線方向から見て前記光透過部及び前記光吸収部の配列方向が交差するように配置される光学フィルタに関する。
【発明の効果】
【０００７】
本発明によれば、製造が容易で且つ遮光性に優れたセンサモジュール、表示装置及び光学フィルタを提供できる。
【図面の簡単な説明】
【０００８】
【図１】第１実施形態における表示装置１の全体構成を示す斜視図である。
【図２】光学フィルタ２０の分解斜視図である。
【図３】光学フィルタ２０のＸＺ断面における断面図である。
【図４】光学フィルタ２０の部分断面図である。
【図５】光学フィルタ２０の部分平面図である。
【図６】表示パネル１０と被検者の指Ｆとの位置関係を示す側面図である。
【図７】第２実施形態の光学フィルタ１２０の断面図である。
【発明を実施するための形態】
【０００９】
以下、本発明の実施形態について説明する。
本明細書に添付した図面は、いずれも模式図であり、理解しやすさ等を考慮して、各部の形状、縮尺、縦横の寸法比等を、実物から変更又は誇張している。また、図面においては、部材の断面を示すハッチングを適宜に省略する。
本明細書において、形状や幾何学的条件、これらの程度を特定する用語、例えば、「平行」、「直交」、「方向」等の用語については、その用語の厳密な意味に加えて、ほぼ平行、ほぼ直交等とみなせる程度の範囲、概ねその方向とみなせる範囲を含む。
【００１０】
また、本明細書においては、表示装置１を図１のような姿勢としたときに、その一辺に沿った方向をＸ方向とし、このＸ方向と水平方向において直交する方向をＹ方向とする。また、シート面（ＸＹ平面）の法線方向をＺ方向とする。Ｚ方向においては、図中の上側をＺ１方向とし、下側をＺ２方向とする。なお、シート面とは、シート状の部材、例えば、後述する光学シート（２１、２２）、光学フィルタ２０の全体を見たときに、シートの平面方向となる面を意味する。また、Ｘ方向とＹ方向は、図示の方向に一義的に定まるものではなく、使用形態に応じて入れ替わってもよい。
【００１１】
（第１実施形態）
図１は、第１実施形態における表示装置１の全体構成を示す斜視図である。
図１に示す表示装置１は、例えば、スマートフォンやタブレットＰＣ等の携帯端末（不図示）において、光学ユニットの一つとして搭載される。
図１に示すように、表示装置１は、表示パネル１０、光学フィルタ２０及びセンサ３０を備える。このうち、表示パネル１０の一部と、光学フィルタ２０及びセンサ３０は、指紋検出用のセンサモジュールを構成する。すなわち、第１実施形態の表示装置１は、指紋センサ付きのディスプレイとして構成されている。
【００１２】
表示パネル１０は、画面上に各種の画像を表示する平面型ディスプレイであり、例えば、液晶表示パネル、有機ＥＬパネル等が用いられる。表示パネル１０として、サイドライト方式の液晶表示パネルを用いた場合、パネルサイドに設けられるライト及びパネル下に設けられる導光板がセンサモジュールの光源部（照明部）となる。また、表示パネル１０として、有機ＥＬパネルを用いた場合、各画素の領域がセンサモジュールの光源部（発光部）となる。
【００１３】
表示パネル１０の上記光源部で発生した光は、表示パネル１０の表面（Ｚ１側の面）に向けて照射される。指紋認証の際、表示パネル１０の表面において、センサ３０に対応する位置には、被検者の指（対象物）が接触する（図６参照）。第１実施形態では、指紋認証において、被検者の指（指紋）の表面で反射する光を検出する例について説明するが、検査対象は、例えば、被検者の指の血管、骨でもよいし、生体の他の部位（手、腕等）であってもよい。
【００１４】
光学フィルタ２０は、表示パネル１０から照射され、被検者の指で反射した反射光の少なくとも一部を、センサ３０側に透過させる積層体である。光学フィルタ２０は、表示パネル１０とセンサ３０との間に配置され、少なくともセンサ３０の受光面を覆うように設けられている。光学フィルタ２０は、入射した反射光のうち、特定の波長領域の反射光のみを透過させる機能を有する。光学フィルタ２０を透過した反射光は、センサ３０（後述）に入射する。光学フィルタ２０の具体的な構成、機能については、後述する。
【００１５】
センサ３０は、格子状に配列された、複数の受光素子（不図示）により構成される。受光素子は、光学フィルタ２０を透過した反射光を検出して、電気信号に変換する機能を有する。被検者の指で反射した反射光は、反射した部位に応じて、指の表面の凹凸形状（指紋）に対応した強弱のパターンを有する。そのため、この強弱のパターンに対応した電気信号を取り出して画像処理を施すことにより、指紋のパターンに対応した出力画像を得ることができる。被検者の指に可視光領域（３８０〜８００ｎｍ）の光を照射したときに、指の表面で反射した反射光に含まれる光のうち、指紋のパターンに対応した光は、波長領域３８０〜７００ｎｍの光となる。
なお、本実施形態では、指紋のパターンを検出する例であることから、上記波長領域を選択しているが、この波長領域は、検出対象に応じて適宜選択することができる。例えば、光学フィルタと一般的なセンサを用いる場合は、光学フィルタを適宜選択して透過波長領域を選択することができる。また、検出可能な波長領域が予め狭い範囲に設定されているセンサを用いてもよい。
【００１６】
センサ３０は、光学フィルタ２０のＺ２側に配置されている。表示パネル１０において、積層された光学フィルタ２０とセンサ３０は、光学フィルタ２０のシート面がセンサ３０の受光面と平行となる。センサ３０を構成する複数の受光素子は、受光面となる光学フィルタ２０側の表面に、二次元方向（ＸＹ方向）に配置されている。なお、図１では、表示パネル１０、光学フィルタ２０及びセンサ３０を同じサイズで示しているが、センサ３０は、表示パネル１０上において、主に被検者が指を接触させる領域と対応する範囲に設けられている。
【００１７】
次に、光学フィルタ２０の構成、機能について説明する。
図２は、光学フィルタ２０の分解斜視図である。図３は、光学フィルタ２０のＸＺ断面における断面図である。図４は、光学フィルタ２０の部分断面図である。図５は、光学フィルタ２０の部分平面図である。
図２に示すように、光学フィルタ２０は、第１光学シート２１と第２光学シート２２とから構成される。なお、図２では、後述する各光学シートの基材、粘着層２３の図示を省略している。
第１光学シート２１は、光学フィルタ２０において、センサ３０側（Ｚ２側）に位置する光学シートである。第１光学シート２１は、シート面に沿って一方向（Ｘ方向）にストライプ状に配列された複数の光透過部（光制御部）２１１と、光透過部２１１の配列方向において、光透過部２１１と交互に配列された複数の光吸収部２１２と、を備える。
【００１８】
光透過部２１１は、光を選択的に透過させる部分である。光透過部２１１は、図２に示すように、Ｘ方向に沿って配列され、且つ、その長手方向がＹ方向に延在している。光透過部２１１は、図３に示すように、第１光学シート２１の厚さ方向（Ｚ方向）に平行な断面（ＸＺ断面）において、Ｚ１側からＺ２側に向けて幅が広くなる楔形形状に形成されている。ここで、楔形形状とは、一方の端部の幅が広く、他方に向けて次第に幅が狭くなる形状をいい、三角形形状や台形形状を含む。また、光透過部２１１の形状は、例えば、矩形形状等であってもよい。
【００１９】
第１実施形態の光透過部２１１は、波長領域３８０〜７００ｎｍの光のみを選択的に通過させる機能を有する。先に説明したように、波長領域３８０〜７００ｎｍの光は、被検者の指紋のパターンに対応した光である。そのため、被検者の指の表面で反射した反射光に含まれる光のうち、波長領域３８０〜７００ｎｍの光のみを選択的に通過させることにより、指紋認証に必要な光のみをセンサ３０に入射させることができる。光透過部２１１は、例えば、ウレタンアクリレート、ポリエステルアクリレート、エポキシアクリレート等の紫外線硬化型樹脂により形成される。また、光透過部２１１は、電子線硬化型樹脂等により形成してもよいし、ポリエチレンテレフタレート樹脂等の熱可塑性樹脂等を用いて、熱溶融押出し成形法等により形成してもよい。また、波長領域３８０〜７００ｎｍの光のみを通過させるために、有機系材料、酸化物系誘電体等を樹脂に含有するとよい。
【００２０】
光吸収部２１２は、光を吸収する部分である。光吸収部２１２は、第１光学シート２１の厚さ方向に沿って、一方の側の面から他方の側の面へ延びる壁状の部分である。光吸収部２１２は、上述した光透過部２１１と同じく、Ｘ方向に沿って配列され、且つ、その長手方向がＹ方向に延在している。光吸収部２１２は、図３に示すように、第１光学シート２１の厚さ方向（Ｚ方向）に平行な断面（ＸＺ断面）において、Ｚ１側からＺ２側に向けて幅が狭くなる楔形形状に形成されている。なお、光吸収部２１２の形状は、例えば、矩形形状等であってもよい。
【００２１】
光吸収部２１２は、可視光や赤外線を吸収する光吸収材を含んだバインダにより形成される。第１実施形態の光吸収部２１２は、可視光領域（３８０〜８００ｎｍ）及び近赤外線領域（８００〜２０００ｎｍ）の光を吸収する機能を有する。光吸収部２１２に使用される光吸収材としては、可視光領域に対しては、例えば、カーボンブラック、カーボンナノチューブ等を主に用いることができる。また、近紫外線領域に対しては、カーボンブラック、それを練り込んだアクリルビーズ、スチレンビーズ等の顔料、フタロシアニン系、ジイモニウム系、シアニン系、ジチオレン金属錯体系、スクアリリウム系の色素等を用いることができる。光吸収部２１２に使用されるバインダとしては、主に赤外光を吸収する特性を有する材料を使用できる。なお、光吸収部２１２は、上記のような複数の材料を組み合わせて形成してもよいし、単一の材料で形成してもよい。
【００２２】
第２光学シート２２は、光学フィルタ２０において、表示パネル１０側に配置する光学シートである。第２光学シート２２は、シート面に沿って一方向（Ｙ方向）にストライプ状に配列された複数の光透過部２２１と、光透過部２２１の配列方向において、光透過部２２１と交互に配列された複数の光吸収部２２２と、を備える。第１実施形態の第２光学シート２２において、光透過部２２１は、Ｙ方向に沿って配列され、且つ、その長手方向がＸ方向に延在している。なお、以下の説明においては、光透過部２１１及び２２１、光吸収部２１２及び２２２の符号を省略して、単に「光透過部」、「光吸収部」ともいう。
【００２３】
第１実施形態の光学フィルタ２０において、第１光学シート２１と第２光学シート２２（以下、単に「光学シート」ともいう）の構成は、同一である。すなわち、第１実施形態の光学フィルタ２０は、同一構成の光学シートを、シート面の法線方向から見て、光透過部及び光吸収部の配列方向が直交するように配置することにより構成される。したがって、光学フィルタ２０をシート面の法線方向から見ると、第１光学シート２１の光吸収部２１２と第２光学シート２２の光吸収部２２２とが格子状に配置した形状となる（図５参照）。なお、光学フィルタ２０において、第１光学シート２１と第２光学シート２２における、それぞれの光透過部及び光吸収部の配列方向は、図２に示すパターンの組み合わせと逆であってもよい。また、本実施形態では、第１光学シート２１と第２光学シート２２における、それぞれの光透過部及び光吸収部の配列方向が直交する例について説明するが、これに限定されるものではなく、９０度以外の角度で交差するようにしてもよい。
【００２４】
図３に示すように、光学フィルタ２０において、第１光学シート２１及び第２光学シート２２は、それぞれ基材２１３、２２３上に形成される。これらの基材は、例えば、ポリエチレンテレフタレート、ポリカーボネート等の樹脂材料又はガラスにより構成される。また、第１光学シート２１と第２光学シート２２は、図３に示すように、それぞれの光透過部及び光吸収部が互いに対向するように配置され、粘着層２３を介して積層される。なお、図３では、理解を容易にするため、第１光学シート２１及び第２光学シート２２のそれぞれの光透過部及び光吸収部の配列方向を、同一方向（Ｙ方向）として示しているが、実際には図２に示すように、第１光学シート２１の光透過部２１１及び光吸収部２１２の配列方向と、第２光学シート２２の光透過部２２１及び光吸収部２２２の配列方向とは交差（直交）している（後述する図６、図７についても同様とする）。
【００２５】
ここで、光学シート（第１光学シート２１及び第２光学シート２２）の製造方法について簡単に説明する。光学シートは、光透過部を賦型する凹形状部と、光吸収部となる部分を溝状に賦型する凸形状部とを有する成形型（不図示）を用い、紫外線成形法により、基材の上に光透過部を形成する。次に、隣接する光透過部の溝部分（凸形状部で賦型された部分）に、光吸収材を含有させた液状のバインダをワイピング（スキージング）して充填し、硬化させることにより、光吸収部を形成する。その後、所定の大きさに裁断した２枚の光学シート２１、２２を用意し、それぞれの光透過部及び光吸収部が互いに対向するように配置して、粘着層２３を介して積層することにより、図３に示すような光学フィルタ２０を作製できる。
【００２６】
図４に示すように、第１光学シート２１において、光透過部２１１のＺ１側の幅ｗ１は、例えば、１〜１５０μｍ程度である。光透過部２１１のＺ２側の幅ｗ２は、例えば、１〜１５０μｍ程度である。光吸収部２１２のＺ１側の幅ｗ３は、例えば、１〜２００μｍ程度である。光吸収部２１２のＺ２側の幅ｗ４は、例えば、１〜２００μｍ程度である。なお、光透過部２１１及び光吸収部２１２における各部の幅は、主に受光素子（センサ３０）の大きさに応じて設定される。
また、第１光学シート２１の厚さｔ１は、例えば、１０〜１０００μｍ程度である。第１光学シート２１の厚さｔ１を５０μｍ以上とすることにより、側方から直接にセンサ３０に入射する外光を効果的に遮光できる。基材２１３の厚さｔ２は、例えば、１０〜１０００μｍ程度である。第２光学シート２２の光透過部２２１、光吸収部２２２及び基材２２３についても、同様である。
【００２７】
また、図５に示すように、光学フィルタ２０をシート面の法線方向（図５ではＺ方向）から見たときに、第１光学シート２１の光吸収部２１２と第２光学シート２２の光吸収部２２２とで仕切られる単位面積部ａの開口率は、５％以上が好ましく、１０％以上がより好ましい。単位面積部ａの開口率とは、単位面積部ａ全体の面積に対する、光吸収部２１２及び２２２で覆われていない部分（以下、「開口部２０１」ともいう）の面積の割合（比率）である。開口率が５％未満になると、光学フィルタ２０に対して斜めに入射する光をより効果的に遮光できるが、被検者の指で反射した反射光の量（情報量）が少なくなることが考えられる。
【００２８】
次に、表示装置１による指紋認証について説明する。
図６は、表示パネル１０と被検者の指Ｆとの位置関係を示す側面図である。
図６に示すように、被検者が指Ｆを表示装置１（表示パネル１０）上の指紋認証エリア２に接触させた状態で、表示パネル１０から指Ｆに向けて光Ｌを照射すると、その光Ｌの一部は、被検者の指Ｆの表面で反射して反射光Ｌ１となる。また、光Ｌのその他は、光Ｌ２として、表示パネル１０の外に向けて出射する。なお、図６では、光Ｌを２箇所に示しているが、実際には、指紋認証エリア２の全域に照射されている。また、図６では、反射光Ｌ１を一箇所に示しているが、実際には、指紋認証エリア２において、指Ｆが接触している全域で反射光Ｌ１が生じている。
【００２９】
被検者の指Ｆで反射した反射光Ｌ１は、光学フィルタ２０に入射する。一方、被検者の指Ｆには、照明光、太陽光等の外光も照射される。これらの外光に含まれる波長領域７００〜１２００ｎｍの光は、生体を透過しやすい性質がある。波長領域７００〜１２００ｎｍの光が被検者の指Ｆを透過すると、その光は、例えば、被検者の指Ｆの血管、骨等のパターンに対応した光Ｌ３となる。したがって、これらの光がそのままセンサ３０に入射すると、センサ３０において、指紋認証に必要な指紋のパターンに対応した光と、指紋認証には不要な指紋以外のパターンに対応した光とが混在した状態で検出されることになる。さらに、被検者の指Ｆを通過せずに、側方から直接にセンサ３０に入射する外光（光Ｌ４）のほか、光学フィルタ２０のシート面の法線方向（Ｚ方向）に対して大きな角度で入射する外光や、被検者の指Ｆで反射した光（不図示）も存在する。このように、指紋認証に必要な光以外の光がセンサ３０に入射すると、センサ３０の検出精度が低下する。
【００３０】
これに対して、第１実施形態の表示装置１は、表示パネル１０とセンサ３０との間に、波長領域３８０〜７００ｎｍの光のみを選択的に通過させる光学フィルタ２０を備えている。そのため、光学フィルタ２０に入射した光Ｌ１のうち、波長領域３８０〜７００ｎｍの光のみがセンサ３０に入射し、波長３８０ｎｍ未満の光及び波長７００ｎｍを超える光Ｌ２は、光学フィルタ２０によりセンサ３０への入射が抑制される。
【００３１】
また、図６に示すように、側方から直接に入射する外光Ｌ４や、光学フィルタ２０のシート面の法線方向（Ｚ方向）に対して大きな角度で入射する外光、被検者の指Ｆで反射した光は、光学フィルタ２０において格子状に配置された光吸収部２１２及び２２２により遮光される。したがって、第１実施形態の表示装置１においては、指紋認証時におけるセンサ３０の検出精度をより向上させることができる。
【００３２】
上述した第１実施形態の光学フィルタ２０、これを備えたセンサモジュール及び表示装置１によれば、例えば、以下のような効果を奏する。
第１実施形態の光学フィルタ２０は、２枚の光学シートを、シート面の法線方向から見て、それぞれの光透過部及び光吸収部の配列方向が交差するように積層したものであるため、１枚の基材の上に複数の光吸収性領域と複数の透光性領域とを格子状に配置した従来技術の構造に比べて、製造が容易となる。また、光学フィルタ２０は、積層した２枚の光学シートのそれぞれの光吸収部が格子状に配置されているため、側方から入射する光を効果的に遮光できる。したがって、第１実施形態の光学フィルタ２０、これを備えたセンサモジュール及び表示装置１は、製造が容易で且つ遮光性に優れている。
【００３３】
第１実施形態の光学フィルタ２０は、特定の波長領域として、波長領域３８０〜７００ｎｍの光のみを選択的に通過させる光制御部を備えるため、指紋認証に不要な波長３８０ｎｍ未満の光及び波長７００ｎｍを超える光Ｌ２のセンサ３０への入射を抑制できる。したがって、第１実施形態の光学フィルタ２０、これを備えたセンサモジュール及び表示装置１は、指紋認証時におけるセンサ３０の検出精度をより向上させることができる。また、第１実施形態の光学フィルタ２０、これを備えたセンサモジュール及び表示装置１は、指紋認証の他に、他の認証手法を組み合わせる必要がないため、指紋認証システムとしてのコストを低減できる。
【００３４】
第１実施形態の光学フィルタ２０において、光学シートの光透過部は、特定の波長領域の光のみを透過させる光制御部として機能する。これによれば、光制御部となる光学部材や光学シートを積層する必要がないため、光学シートをより薄くできる。
第１実施形態の表示装置１において、表示パネル１０の照明部又は発光部は、センサモジュールの光源部として機能する。これによれば、被検者の指（対象物）に光を照射するための専用の光源部を設ける必要がないため、表示装置１の構成を簡素化できる。
【００３５】
（第２実施形態）
第２実施形態の表示装置１は、光学フィルタ１２０の構成が第１実施形態と相違する。第２実施形態の表示装置１において、その他の構成は、第１実施形態と同じである。そのため、図７においては、光学フィルタ１２０のみを図示し、表示装置１の全体の図示を省略する。また、第２実施形態の説明及び図面において、第１実施形態と同等の部材等には、第１実施形態と同一の符号又は末尾（下２桁）に同一の符号を付し、重複する説明を省略する。
【００３６】
図７は、第２実施形態の光学フィルタ１２０の断面図である。図７は、第１実施形態の光学フィルタ２０の断面図である図３に対応する。
第２実施形態の光学フィルタ１２０は、図７に示すように、第１光学シート１２１の上に第２光学シート１２２が直接に形成されている。第２実施形態の光学フィルタ１２０においても、第１実施形態と同様に、それぞれの光学シートは、シート面の法線方向から見て、光透過部及び光吸収部の配列方向が直交するように配置されている。なお、図７においては、第１光学シート１２１及び第２光学シート１２２のそれぞれの光透過部及び光吸収部を同一方向（Ｙ方向）に示している。
【００３７】
第２実施形態の光学フィルタ１２０、これを備えたセンサモジュール及び表示装置１においても、第１実施形態と同様の効果が得られる。
また、第２実施形態の光学フィルタ１２０では、第１光学シート１２１に基材２１３が設けられているが、第２光学シート１２２には基材２２３（図３参照）が不要となるため、光学フィルタ２０をより薄くできる。
【００３８】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。以下に説明する変形形態では、第１及び第２実施形態を総称して「実施形態」という。
【００３９】
（変形形態）
実施形態では、光透過部において、波長領域３８０〜７００ｎｍの光のみを選択的に通過させる例について説明したが、これに限定されない。波長領域７００ｎｍを超える光のみを吸収させ、それ以外の波長領域の光を通過させるようにしてもよい。
実施形態では、２枚の光学シートを、シート面の法線方向から見て、光透過部及び光吸収部の配列方向が直交するように配置する例について説明したが、これに限定されない。シート面の法線方向から見て、光透過部及び光吸収部の配列方向が、所定の角度で交差するように配置してもよい。また、表示パネル１０の配線部を避けるように、交差する部分の開口形状を設定してもよい。
【００４０】
実施形態では、光学シートの光透過部２１１（２２１）を、特定の波長領域の光のみを透過させる光制御部として機能させる例について説明したが、これに限定されない。光学シートの光制御部は、基材２１３（２２３）であってもよいし、粘着層２３（図３参照）であってもよい。すなわち、上記各部に波長領域３８０〜７００ｎｍの光のみを選択的に通過させる機能を持たせることにより、光学シートの光透過部２１１（２２１）と同等の効果を得ることができる。また、光学シートの光制御部として、上述した各部を組み合わせてもよいし、光制御部としての機能を有するシートを、各光学シートに積層してもよいし、多層膜等をいずれかの層上に設けてもよい。
【００４１】
実施形態では、光学フィルタ２０（１２０）として、２枚の光学シートを積層する例について説明したが、これに限定されない。光学フィルタ２０（１２０）は、３枚以上の光学シートを積層した構成としてもよい。その場合、少なくとも２枚の光学シートについて、シート面の法線方向から見て、光透過部及び光吸収部が交差していればよい。
実施形態では、センサモジュールにおいて、表示パネル１０に設けられた照明部や発光部を光源部として用いる例について説明したが、表示パネル１０の照明部や発光部とは別に光を発する光源部を設けた構成としてもよい。
【符号の説明】
【００４２】
１    表示装置
１０    表示パネル
２０、１２０    光学フィルタ
２１、１２１    第１光学シート
２２、１２２    第２光学シート
３０    センサ
２１１、２２１    光透過部
２１２、２２２光吸収部
【図１】
2020079842.tif 000003
【図２】
2020079842.tif 000004
【図３】
2020079842.tif 000005
【図４】
2020079842.tif 000006
【図５】
2020079842.tif 000007
【図６】
2020079842.tif 000008
【図７】
2020079842.tif 000009